(57)【要約】【課題】同一地域でＷｉ−Ｆｉ通信と非Ｗｉ−Ｆｉ通信とが同一周波数帯を使用する場合に、Ｗｉ−Ｆｉ通信と非Ｗｉ−Ｆｉ通信との間で通信の衝突が発生することを防ぐこと。【解決手段】複数の無線チャネルが同時に使用される際に同一フォーマットの信号が同一変調レートで該複数の無線チャネルで同時に送信される該複数の無線チャネルの各々の信号を受信する無線受信部１１と、該複数の無線チャネルのうち少なくとも一つの無線チャネルで信号を送信する無線送信部１２と、無線受信部１１における複数の無線チャネルの同時受信を検出する検出部１３と、検出部１３で検出された同時受信の複数の無線チャネルで各々受信された信号についての一致条件を判定する判定部１４と、判定部１４で一致条件を満足すると判定された場合に、無線送信部１２からの信号の送信を所定の送信待ち時間だけ遅らせる制御部１５と、を備える。【選択図】図１
2016144064.tif 000002
【特許請求の範囲】
【請求項１】
複数の無線チャネルが同時に使用される際に同一フォーマットの信号が同一変調レートで前記複数の無線チャネルで同時に送信される前記複数の無線チャネルの各々の信号を受信する無線受信部と、
前記複数の無線チャネルのうち少なくとも一つの無線チャネルで信号を送信する無線送信部と、
前記無線受信部における複数の無線チャネルの同時受信を検出する検出部と、
前記検出部で検出された同時受信の複数の無線チャネルで各々受信された信号についての一致条件を判定する判定部と、
前記判定部で一致条件を満足すると判定された場合に、前記無線送信部からの信号の送信を所定の送信待ち時間だけ遅らせる制御部と、
を備えた無線通信装置。
【請求項２】
前記判定部は、前記検出部で検出された同時受信の複数の無線チャネルで各々受信された信号の始まりと終わりが同時受信の全ての無線チャネルで一致していることを判定する、
請求項１に記載の無線通信装置。
【請求項３】
前記判定部は、前記検出部で検出された同時受信の複数の無線チャネルで各々受信された信号の間に一定以上の相関があることを判定する、
請求項１に記載の無線通信装置。
【請求項４】
前記判定部は、前記検出部で検出された同時受信の複数の無線チャネルで各々受信された信号のビット列間の相関値を計算する、
請求項３に記載の無線通信装置。
【請求項５】
前記判定部は、前記検出部で検出された同時受信の複数の無線チャネルで各々受信された信号の波形間の相関値を計算する、
請求項３に記載の無線通信装置。
【請求項６】
前記制御部は、前記判定部で一致条件を満足すると判定された場合に、前記無線送信部からの信号の送信を、前記複数の無線チャネルの使用時間の所定の上限値だけ遅らせる、
請求項１から５のいずれか１項に記載の無線通信装置。
【請求項７】
前記制御部は、前記判定部で一致条件を満足すると判定された場合に、前記無線送信部からの信号の送信を、前記複数の無線チャネルの使用時間の所定の上限値、又は、前記複数の無線チャネルで送信されるデータ信号とアクノレッジ信号との一連の終了までに要する時間、のうちの短い方の時間だけ遅らせる、
請求項１から５のいずれか１項に記載の無線通信装置。
【請求項８】
前記制御部は、前記判定部で一致条件を満足すると判定された場合に、前記無線送信部からの信号の送信を、前記複数の無線チャネルで送信される一連の信号の終了までに要する時間の実績値に基づいて予め設定された時間だけ遅らせる、
請求項１から５のいずれか１項に記載の無線通信装置。
【請求項９】
複数の無線チャネルが同時に使用される際に同一フォーマットの信号が同一変調レートで前記複数の無線チャネルで同時に送信される前記複数の無線チャネルの各々の信号を受信する無線受信ステップと、
前記複数の無線チャネルのうち少なくとも一つの無線チャネルで信号を送信する無線送信ステップと、
前記無線受信ステップにおける複数の無線チャネルの同時受信を検出する検出ステップと、
前記検出ステップで検出された同時受信の無線チャネル間で一致条件を判定する判定ステップと、
前記判定ステップで一致条件を満足すると判定された場合に、前記無線送信ステップでの信号の送信を所定の送信待ち時間だけ遅らせる制御ステップと、
を含む無線通信方法。
【請求項１０】
複数の無線チャネルが同時に使用される際に同一フォーマットの信号が同一変調レートで前記複数の無線チャネルで同時に送信される前記複数の無線チャネルの各々の信号を受信する無線受信ステップと、
前記複数の無線チャネルのうち少なくとも一つの無線チャネルで信号を送信する無線送信ステップと、
前記無線受信ステップにおける複数の無線チャネルの同時受信を検出する検出ステップと、
前記検出ステップで検出された同時受信の無線チャネル間で一致条件を判定する判定ステップと、
前記判定ステップで一致条件を満足すると判定された場合に、前記無線送信ステップでの信号の送信を所定の送信待ち時間だけ遅らせる制御ステップと、
をコンピュータに実行させるためのコンピュータプログラム。
【発明の詳細な説明】
【技術分野】
【０００１】
本発明は、無線通信装置、無線通信方法、及び、コンピュータプログラムに関する。
【背景技術】
【０００２】
近年、３ＧＰＰ（3rd Generation Partnership Project）において、次世代移動通信システムの仕様の一つとして、ＬＡＡ（Licensed-Assisted Access）が検討されている（例えば、非特許文献１参照）。ＬＡＡは、現在、非ＬＴＥ（Long Term Evolution）通信で使われている「Unlicensed band」においてＬＴＥ通信を実施する場合に、非ＬＴＥ通信とＬＴＥ通信との両方の通信の効果を最大化するための技術である。
【０００３】
一方、ＩＥＥＥ８０２．１１シリーズ規格に準拠するＷｉ−Ｆｉと呼ばれる無線ＬＡＮでは、ＲＴＳ（Request To Send）信号とＣＴＳ（Clear to Send）信号とによって、隠れ端末の問題を解決したり、通信の衝突を防止したりする技術が知られている。
【先行技術文献】
【非特許文献】
【０００４】
【非特許文献１】3GPP、“Study on Licensed-Assisted Access using LTE”、RP-141664、2014年9月
【発明の概要】
【発明が解決しようとする課題】
【０００５】
同一地域でＷｉ−Ｆｉ通信と非Ｗｉ−Ｆｉ通信とが同一周波数帯を使用する場合、非Ｗｉ−Ｆｉの無線通信装置がＷｉ−Ｆｉ通信におけるＲＴＳ信号とＣＴＳ信号とによる通信手順を十分に把握することが難しいために、Ｗｉ−Ｆｉ通信と非Ｗｉ−Ｆｉ通信との間で通信の衝突が発生する可能性がある。
【０００６】
本発明は、このような事情を考慮してなされたものであり、同一地域でＷｉ−Ｆｉ通信と非Ｗｉ−Ｆｉ通信とが同一周波数帯を使用する場合に、Ｗｉ−Ｆｉ通信と非Ｗｉ−Ｆｉ通信との間で通信の衝突が発生することを防ぐことができる無線通信装置、無線通信方法、及び、コンピュータプログラムを提供することを課題とする。
【課題を解決するための手段】
【０００７】
（１）本発明の一態様は、複数の無線チャネルが同時に使用される際に同一フォーマットの信号が同一変調レートで前記複数の無線チャネルで同時に送信される前記複数の無線チャネルの各々の信号を受信する無線受信部と、前記複数の無線チャネルのうち少なくとも一つの無線チャネルで信号を送信する無線送信部と、前記無線受信部における複数の無線チャネルの同時受信を検出する検出部と、前記検出部で検出された同時受信の複数の無線チャネルで各々受信された信号についての一致条件を判定する判定部と、前記判定部で一致条件を満足すると判定された場合に、前記無線送信部からの信号の送信を所定の送信待ち時間だけ遅らせる制御部と、を備えた無線通信装置である。
（２）本発明の一態様は、上記（１）の無線通信装置において、前記判定部は、前記検出部で検出された同時受信の複数の無線チャネルで各々受信された信号の始まりと終わりが同時受信の全ての無線チャネルで一致していることを判定する、無線通信装置である。
（３）本発明の一態様は、上記（１）の無線通信装置において、前記判定部は、前記検出部で検出された同時受信の複数の無線チャネルで各々受信された信号の間に一定以上の相関があることを判定する、無線通信装置である。
（４）本発明の一態様は、上記（３）の無線通信装置において、前記判定部は、前記検出部で検出された同時受信の複数の無線チャネルで各々受信された信号のビット列間の相関値を計算する、無線通信装置である。
（５）本発明の一態様は、上記（３）の無線通信装置において、前記判定部は、前記検出部で検出された同時受信の複数の無線チャネルで各々受信された信号の波形間の相関値を計算する、無線通信装置である。
（６）本発明の一態様は、上記（１）から（５）のいずれかの無線通信装置において、前記制御部は、前記判定部で一致条件を満足すると判定された場合に、前記無線送信部からの信号の送信を、前記複数の無線チャネルの使用時間の所定の上限値だけ遅らせる、無線通信装置である。
（７）本発明の一態様は、上記（１）から（５）のいずれかの無線通信装置において、前記制御部は、前記判定部で一致条件を満足すると判定された場合に、前記無線送信部からの信号の送信を、前記複数の無線チャネルの使用時間の所定の上限値、又は、前記複数の無線チャネルで送信されるデータ信号とアクノレッジ信号との一連の終了までに要する時間、のうちの短い方の時間だけ遅らせる、無線通信装置である。
（８）本発明の一態様は、上記（１）から（５）のいずれかの無線通信装置において、前記制御部は、前記判定部で一致条件を満足すると判定された場合に、前記無線送信部からの信号の送信を、前記複数の無線チャネルで送信される一連の信号の終了までに要する時間の実績値に基づいて予め設定された時間だけ遅らせる、無線通信装置である。
【０００８】
（９）本発明の一態様は、複数の無線チャネルが同時に使用される際に同一フォーマットの信号が同一変調レートで前記複数の無線チャネルで同時に送信される前記複数の無線チャネルの各々の信号を受信する無線受信ステップと、前記複数の無線チャネルのうち少なくとも一つの無線チャネルで信号を送信する無線送信ステップと、前記無線受信ステップにおける複数の無線チャネルの同時受信を検出する検出ステップと、前記検出ステップで検出された同時受信の無線チャネル間で一致条件を判定する判定ステップと、前記判定ステップで一致条件を満足すると判定された場合に、前記無線送信ステップでの信号の送信を所定の送信待ち時間だけ遅らせる制御ステップと、を含む無線通信方法である。
【０００９】
（１０）本発明の一態様は、複数の無線チャネルが同時に使用される際に同一フォーマットの信号が同一変調レートで前記複数の無線チャネルで同時に送信される前記複数の無線チャネルの各々の信号を受信する無線受信ステップと、前記複数の無線チャネルのうち少なくとも一つの無線チャネルで信号を送信する無線送信ステップと、前記無線受信ステップにおける複数の無線チャネルの同時受信を検出する検出ステップと、前記検出ステップで検出された同時受信の無線チャネル間で一致条件を判定する判定ステップと、前記判定ステップで一致条件を満足すると判定された場合に、前記無線送信ステップでの信号の送信を所定の送信待ち時間だけ遅らせる制御ステップと、をコンピュータに実行させるためのコンピュータプログラムである。
【発明の効果】
【００１０】
本発明によれば、同一地域でＷｉ−Ｆｉ通信と非Ｗｉ−Ｆｉ通信とが同一周波数帯を使用する場合に、Ｗｉ−Ｆｉ通信と非Ｗｉ−Ｆｉ通信との間で通信の衝突が発生することを防ぐことができるという効果が得られる。
【図面の簡単な説明】
【００１１】
【図１】本発明の一実施形態に係る無線通信装置１０を示す構成図である。
【図２】本発明の一実施形態に係る非Ｗｉ−Ｆｉ通信とＷｉ−Ｆｉ通信との関係の例を示す図である。
【図３】本発明の一実施形態に係る無線通信方法のフローチャートである。
【図４】Ｗｉ−Ｆｉ通信における通信手順を示す説明図である。
【図５】本発明の一実施形態に係る無線通信方法の説明図である。
【図６】本発明の一実施形態に係る無線通信方法の説明図である。
【発明を実施するための形態】
【００１２】
以下、図面を参照し、本発明の実施形態について説明する。
【００１３】
本実施形態では、Ｗｉ−Ｆｉ通信のうち、チャネルボンディングを行うＷｉ−Ｆｉ通信を例に挙げて説明する。チャネルボンディングを行うＷｉ−Ｆｉ通信規格として、ＩＥＥＥ８０２．１１ａｃ規格がある。チャネルボンディングを行うＷｉ−Ｆｉ通信では、複数の無線チャネルをまとめて通信に使用する。チャネルボンディングによって、Ｗｉ−Ｆｉ通信に使用する無線通信帯域幅を拡げることができる。
【００１４】
チャネルボンディングを行う場合、Ｗｉ−Ｆｉの無線通信装置（送信側）は、同時に使用する複数の無線チャネルの各々でＲＴＳ信号を同時に送信する。その複数の無線チャネルの各々でＲＴＳ信号を同時に受信したＷｉ−Ｆｉの無線通信装置（受信側）は、該複数の無線チャネルの各々でＣＴＳ信号を同時に送信する。
【００１５】
図１は、本発明の一実施形態に係る無線通信装置１０を示す構成図である。無線通信装置１０は、非Ｗｉ−Ｆｉの無線通信装置である。図２は、本実施形態に係る非Ｗｉ−Ｆｉ通信とＷｉ−Ｆｉ通信との関係の例を示す説明図である。
【００１６】
図２において、非Ｗｉ−Ｆｉの無線通信装置１０−１，１０−２と、Ｗｉ−Ｆｉの無線通信装置１００−１，１００−２とは、同一地域で、同一周波数帯を使用する。Ｗｉ−Ｆｉの無線通信装置１００−１はカバレッジ１１０−１を有する。Ｗｉ−Ｆｉの無線通信装置１００−２はカバレッジ１１０−２を有する。ここで、非Ｗｉ−Ｆｉの無線通信装置１０−１は、カバレッジ１１０−１内に在るので、Ｗｉ−Ｆｉの無線通信装置１００−１から送信された信号を受信できる。しかし、非Ｗｉ−Ｆｉの無線通信装置１０−１は、カバレッジ１１０−２外に在るので、Ｗｉ−Ｆｉの無線通信装置１００−２から送信された信号を受信できない。このため、非Ｗｉ−Ｆｉの無線通信装置１０−１は、Ｗｉ−Ｆｉの無線通信装置１００−１から送信されたＲＴＳ信号やＣＴＳ信号を受信できるが、Ｗｉ−Ｆｉの無線通信装置１００−２から送信されたＲＴＳ信号やＣＴＳ信号を受信できない。このことから、非Ｗｉ−Ｆｉの無線通信装置１０−１は、Ｗｉ−Ｆｉの無線通信装置１００−１と１００−２との間で行われるＲＴＳ信号とＣＴＳ信号とによる通信手順を十分に把握することが難しい状況にある。
【００１７】
図１において、無線通信装置１０は、無線受信部１１と無線送信部１２と検出部１３と判定部１４と制御部１５とを備える。無線受信部１１は、Ｗｉ−Ｆｉ通信と同一の無線周波数帯の無線チャネルの信号を受信する。無線送信部１２は、Ｗｉ−Ｆｉ通信と同一の無線周波数帯の無線チャネルで信号を送信する。該無線チャネルは複数ある。無線受信部１１は、複数の無線チャネルの各々の信号を受信する。無線送信部１２は、複数の無線チャネルのうち少なくとも一つの無線チャネルで信号を送信する。
【００１８】
検出部１３は、無線受信部１１における複数の無線チャネルの同時受信を検出する。判定部１４は、検出部１３で検出された同時受信の複数の無線チャネルで各々受信された信号についての一致条件を判定する。制御部１５は、判定部１４で一致条件を満足すると判定された場合に、無線送信部１２からの信号の送信を所定の送信待ち時間だけ遅らせる。
【００１９】
次に、本実施形態に係る無線通信装置１０の動作を説明する。図３は、本実施形態に係る無線通信方法を示すフローチャートである。以下の説明では、図３の無線通信方法によって、図２において、非Ｗｉ−Ｆｉの無線通信装置１０−１が、Ｗｉ−Ｆｉの無線通信装置１００−１と１００−２との間の通信との衝突を防ぐ場合を例に挙げる。
【００２０】
まず図４を参照して、Ｗｉ−Ｆｉ通信におけるＲＴＳ信号とＣＴＳ信号とによる通信手順を説明する。図４において、まず、Ｗｉ−Ｆｉ通信における送信側の無線通信装置１００がＲＴＳ信号を送信する。Ｗｉ−Ｆｉ通信における受信側の無線通信装置１００は、そのＲＴＳ信号を受信すると、ＳＩＦＳ（Short Inter Frame Space）時間だけ待ってから、ＣＴＳ信号を送信する。送信側の無線通信装置１００は、そのＣＴＳ信号を受信すると、ＳＩＦＳ時間だけ待ってから、データ信号を送信する。受信側の無線通信装置１００は、そのデータ信号を受信すると、ＳＩＦＳ時間だけ待ってから、ＢｌｏｃｋＡｃｋ信号を送信する。このＲＴＳ信号からＢｌｏｃｋＡｃｋ信号までの一連の信号は、最大送信時間（TxOP）以内で完了させることが規定されている。なお、Ｗｉ−Ｆｉ通信においてチャネルボンディングを行う場合、上記した図４のＲＴＳ信号及びＣＴＳ信号は、同時に使用される複数の無線チャネルの各々で、同時に同一フレームフォーマットで且つ同一変調レートで送信される。
【００２１】
次に図３を参照して、図２に示される非Ｗｉ−Ｆｉの無線通信装置１０−１の動作の例を説明する。
【００２２】
（ステップＳ１）非Ｗｉ−Ｆｉの無線通信装置１０−１において、無線受信部１１は、Ｗｉ−Ｆｉ通信と同一の無線周波数帯の無線チャネルの信号を受信する。このとき、無線受信部１１は、複数の無線チャネルの各々の信号を受信する。
【００２３】
（ステップＳ２）非Ｗｉ−Ｆｉの無線通信装置１０−１において、検出部１３は、無線受信部１１における複数の無線チャネルの同時受信を検出する。この検出の結果、複数の無線チャネルの同時受信が検出された場合にはステップＳ３に進む。一方、複数の無線チャネルの同時受信が検出されなかった場合には、図３の処理を終了する。
【００２４】
（ステップＳ３）非Ｗｉ−Ｆｉの無線通信装置１０−１において、判定部１４は、検出部１３で検出された同時受信の複数の無線チャネルで各々受信された信号についての一致条件を判定する。以下に、判定部１４における判定方法の例１，２，３を説明する。
【００２５】
［判定方法の例１］
判定部１４は、検出部１３で検出された同時受信の複数の無線チャネルで各々受信された信号の始まりと終わりが同時受信の全ての無線チャネルで一致していることを判定する。具体的には、判定部１４は、検出部１３で検出された同時受信の複数の無線チャネルで各々受信された信号の信号レベルを、所定の閾値と比較する。判定部１４は、信号レベルが所定の閾値を上回った時点を信号の始まりと判定する。判定部１４は、信号レベルが所定の閾値を下回った時点を信号の終わりと判定する。そして、判定部１４は、検出部１３で検出された同時受信の全ての無線チャネル間で、信号の始まりと終わりの両方が一致している場合に、一致条件を満足すると判定する。一方、判定部１４は、検出部１３で検出された同時受信のいずれかの無線チャネル間で信号の始まり又は終わりのいずれか一方でも一致しない場合には、一致条件を満足しないと判定する。
【００２６】
上記したように、Ｗｉ−Ｆｉ通信においてチャネルボンディングを行う場合、上記した図４のＲＴＳ信号及びＣＴＳ信号は、同時に使用される複数の無線チャネルの各々で、同時に同一フレームフォーマットで且つ同一変調レートで送信される。このため、その複数の無線チャネルにおいて、ＲＴＳ信号は、信号の始まりと終わりが一致する。同様に、その複数の無線チャネルにおいて、ＣＴＳ信号は、信号の始まりと終わりが一致する。その信号の始まりと終わりとの一致を、本判定方法の例１により判定する。これにより、図５に例示されるように、図２中の非Ｗｉ−Ｆｉの無線通信装置１０−１は、図２中のＷｉ−Ｆｉの無線通信装置１００−１が複数（図５の例では４個）の無線チャネルの各々で同時に送信したＣＴＳ信号を、検出することができる。又は、図６に例示されるように、図２中の非Ｗｉ−Ｆｉの無線通信装置１０−１は、図２中のＷｉ−Ｆｉの無線通信装置１００−１が複数（図６の例では４個）の無線チャネルの各々で同時に送信したＲＴＳ信号を、検出することができる。
【００２７】
［判定方法の例２］
判定部１４は、検出部１３で検出された同時受信の複数の無線チャネルで各々受信された信号の間に一定以上の相関があることを判定する。具体的には、判定部１４は、検出部１３で検出された同時受信の複数の無線チャネルで各々受信された信号をビット列に復調し、復調されたビット列間の相関値を計算する。次いで、判定部１４は、計算結果の相関値を所定の閾値と比較する。そして、判定部１４は、検出部１３で検出された同時受信の全ての無線チャネル間で、計算結果の相関値が所定の閾値以上である場合に、一致条件を満足すると判定する。一方、判定部１４は、検出部１３で検出された同時受信のいずれかの無線チャネル間で、計算結果の相関値が所定の閾値未満である場合には、一致条件を満足しないと判定する。
【００２８】
上記したように、Ｗｉ−Ｆｉ通信においてチャネルボンディングを行う場合、上記した図４のＲＴＳ信号及びＣＴＳ信号は、同時に使用される複数の無線チャネルの各々で、同時に同一フレームフォーマットで且つ同一変調レートで送信される。このため、その複数の無線チャネルにおいて、ＲＴＳ信号は、信号のビット列の相関ありとなる。同様に、その複数の無線チャネルにおいて、ＣＴＳ信号は、信号のビット列の相関ありとなる。その信号のビット列の相関ありを、本判定方法の例２により判定する。これにより、図５に例示されるように、図２中の非Ｗｉ−Ｆｉの無線通信装置１０−１は、図２中のＷｉ−Ｆｉの無線通信装置１００−１が複数（図５の例では４個）の無線チャネルの各々で同時に送信したＣＴＳ信号を、検出することができる。又は、図６に例示されるように、図２中の非Ｗｉ−Ｆｉの無線通信装置１０−１は、図２中のＷｉ−Ｆｉの無線通信装置１００−１が複数（図６の例では４個）の無線チャネルの各々で同時に送信したＲＴＳ信号を、検出することができる。
【００２９】
［判定方法の例３］
判定部１４は、検出部１３で検出された同時受信の複数の無線チャネルで各々受信された信号の間に一定以上の相関があることを判定する。具体的には、判定部１４は、検出部１３で検出された同時受信の複数の無線チャネルで各々受信された信号の波形間の相関値を計算する。次いで、判定部１４は、計算結果の相関値を所定の閾値と比較する。そして、判定部１４は、検出部１３で検出された同時受信の全ての無線チャネル間で、計算結果の相関値が所定の閾値以上である場合に、一致条件を満足すると判定する。一方、判定部１４は、検出部１３で検出された同時受信のいずれかの無線チャネル間で、計算結果の相関値が所定の閾値未満である場合には、一致条件を満足しないと判定する。
【００３０】
上記したように、Ｗｉ−Ｆｉ通信においてチャネルボンディングを行う場合、上記した図４のＲＴＳ信号及びＣＴＳ信号は、同時に使用される複数の無線チャネルの各々で、同時に同一フレームフォーマットで且つ同一変調レートで送信される。このため、その複数の無線チャネルにおいて、ＲＴＳ信号は、信号の波形の相関ありとなる。同様に、その複数の無線チャネルにおいて、ＣＴＳ信号は、信号の波形の相関ありとなる。その信号の波形の相関ありを、本判定方法の例３により判定する。これにより、図５に例示されるように、図２中の非Ｗｉ−Ｆｉの無線通信装置１０−１は、図２中のＷｉ−Ｆｉの無線通信装置１００−１が複数（図５の例では４個）の無線チャネルの各々で同時に送信したＣＴＳ信号を、検出することができる。又は、図６に例示されるように、図２中の非Ｗｉ−Ｆｉの無線通信装置１０−１は、図２中のＷｉ−Ｆｉの無線通信装置１００−１が複数（図６の例では４個）の無線チャネルの各々で同時に送信したＲＴＳ信号を、検出することができる。
【００３１】
説明を図３に戻す。
（ステップＳ４）上記ステップＳ３の判定の結果、一致条件を満足する場合にはステップＳ５に進む。一方、一致条件を満足しない場合には、図３の処理を終了する。
【００３２】
（ステップＳ５）非Ｗｉ−Ｆｉの無線通信装置１０−１において、制御部１５は、判定部１４で一致条件を満足すると判定された場合に、無線送信部１２からの信号の送信を所定の送信待ち時間だけ遅らせる。以下に、送信待ち時間の例１，２，３を説明する。
【００３３】
［送信待ち時間の例１］
送信待ち時間として、Ｗｉ−Ｆｉ規格で規定される最大送信時間（TxOP）を使用する。Ｗｉ−Ｆｉ規格で規定される最大送信時間（TxOP）は、Ｗｉ−Ｆｉ通信においてチャネルボンディングにより同時に使用される複数の無線チャネルの使用時間の所定の上限値である。制御部１５は、予め、送信待ち時間として、Ｗｉ−Ｆｉ規格で規定される最大送信時間（TxOP）を示す情報を保持する。制御部１５は、判定部１４で一致条件を満足すると判定された場合に、自己に保持する情報で示される送信待ち時間を無線送信部１２に設定する。無線送信部１２は、制御部１５から設定された送信待ち時間だけ、信号の送信を待機する。
【００３４】
［送信待ち時間の例２］
次式で示される送信待ち時間τを使用する。
τ＝ min（TxOP，「SIFS時間＋CTS時間＋SIFS時間」以降の信号の終了時間）
「SIFS時間＋CTS時間＋SIFS時間」以降の信号の終了時間は、上記した図４において、データ信号とＢｌｏｃｋＡｃｋ信号との一連の送信が終了するまでに要する時間である。送信待ち時間τは、Ｗｉ−Ｆｉ通信においてチャネルボンディングにより同時に使用される複数の無線チャネルの使用時間の所定の上限値、又は、Ｗｉ−Ｆｉ通信においてチャネルボンディングにより同時に使用される複数の無線チャネルで送信されるデータ信号とアクノレッジ信号との一連の終了までに要する時間、のうちの短い方の時間である。制御部１５は、予め、Ｗｉ−Ｆｉ規格で規定される最大送信時間（TxOP）を示す第１の時間情報を保持する。また、制御部１５は、データ信号とＢｌｏｃｋＡｃｋ信号との一連の送信が終了するまでに要する時間を示す第２の時間情報を保持する。第２の時間情報は、適宜に更新されてもよい。制御部１５は、判定部１４で一致条件を満足すると判定された場合に、自己に保持する第１の時間情報で示される最大送信時間（TxOP）と第２の時間情報で示される時間とのうち短い方の時間を送信待ち時間として無線送信部１２に設定する。無線送信部１２は、制御部１５から設定された送信待ち時間だけ、信号の送信を待機する。
【００３５】
［送信待ち時間の例３］
送信待ち時間として、図４に示されるＲＴＳ信号からＢｌｏｃｋＡｃｋ信号までの一連の信号の終了までに要する時間の実績値に基づいた送信待ち時間を使用する。例えば、該実績値を統計処理した統計値を送信待ち時間に使用する。統計値として、例えば、平均値、最頻値、中央値、５％ｔｉｌｅ値などが挙げられる。制御部１５は、予め、ＲＴＳ信号からＢｌｏｃｋＡｃｋ信号までの一連の信号の終了までに要する時間の実績値に基づいた送信待ち時間を示す情報を保持する。制御部１５は、判定部１４で一致条件を満足すると判定された場合に、自己に保持する情報で示される送信待ち時間を無線送信部１２に設定する。無線送信部１２は、制御部１５から設定された送信待ち時間だけ、信号の送信を待機する。
【００３６】
以上が送信待ち時間の例１，２，３の説明である。
本実施形態によれば、非Ｗｉ−Ｆｉの無線通信装置１０−１において、無線受信部１１における複数の無線チャネルの同時受信を検出し、この検出された同時受信の複数の無線チャネルで各々受信された信号についての一致条件を判定し、この一致条件を満足すると判定された場合に、無線送信部１２からの信号の送信を、所定の送信待ち時間（送信待ち時間の例１，２又は３）だけ遅らせる。これにより、図５に例示されるように、図２中の非Ｗｉ−Ｆｉの無線通信装置１０−１は、図２中のＷｉ−Ｆｉの無線通信装置１００−１が複数（図５の例では４個）の無線チャネルの各々で同時に送信したＣＴＳ信号を検出した後に送信待ちしてからデータ信号を送信するので、Ｗｉ−Ｆｉ通信との衝突を防ぐことができる。又は、図６に例示されるように、図２中の非Ｗｉ−Ｆｉの無線通信装置１０−１は、図２中のＷｉ−Ｆｉの無線通信装置１００−１が複数（図６の例では４個）の無線チャネルの各々で同時に送信したＲＴＳ信号を検出した後に送信待ちしてからデータ信号を送信するので、Ｗｉ−Ｆｉ通信との衝突を防ぐことができる。
【００３７】
以上、本発明の実施形態について図面を参照して詳述してきたが、具体的な構成はこの実施形態に限られるものではなく、本発明の要旨を逸脱しない範囲の設計変更等も含まれる。
【００３８】
例えば、上述した実施形態では、Ｗｉ−Ｆｉと同じ無線周波数帯を使用する非Ｗｉ−Ｆｉの無線通信装置を例に挙げたが、Ｗｉ−Ｆｉ以外の他の無線通信システムと同じ無線周波数帯を使用する無線通信装置に対しても同様に適用可能である。
【００３９】
また、図３に示す各ステップを実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００４０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４１】
１０…無線通信装置、１１…無線受信部、１２…無線送信部、１３…検出部、１４…判定部、１５…制御部
【図１】
2016144064.tif 000003
【図２】
2016144064.tif 000004
【図３】
2016144064.tif 000005
【図４】
2016144064.tif 000006
【図５】
2016144064.tif 000007
【図６】
2016144064.tif 000008